(57)【特許請求の範囲】
【請求項１】
少なくとも一または二以上のハードウェアを収容するコンピュータケーシングにおいて：
前記コンピュータケーシングは，少なくとも一側面に開口部を有する固定ケーシングと，
前記ハードウェアを備えるための一または二以上のケージが設けられて，前記固定ケーシングの開口部を閉鎖又は開口する開閉ケーシングと，
前記固定ケーシングの開口部に設けられて，前記開閉ケーシングが前記固定ケーシングと回動自在に枢着される連結手段と，
前記開閉ケーシングが前記固定ケーシングに固定又は固定解除するロック手段とを含み，
前記ロック手段は，前記固定ケーシング面上を所定距離移動する可動部材と，
前記開閉ケーシングの板面に形成される係止突起部材と，
前記固定ケーシングの前側面の板面に突出形成された複数のガイド部と，
前記可動部材に突出形成されて前記係止突起部材と係止する係止部と，
前記可動部材の移動を弾性付勢するスプリング部材と，
前記係止突起部材と係止部との係止の状態を維持するための前記固定ケーシングに形成される係止維持部と，
前記可動部材の少なくとも一側端に設けられて前記係止維持部と係止又は係止解除する係止片とを有し，
前記可動部材は，該可動部材を前記固定ケーシングに設置するための一または二以上のガイド孔と，
該可動部材の移動方向に対して垂直に突出形成された把持部とをさらに含み，
前記係止維持部又は前記係止片のいずれか一方は弾性部材であり，前記ガイド部が前記ガイド孔に挿入されることにより前記可動部材の移動範囲が制限され，該可動部材が移動することにより前記係止部が前記係止突起部材と係止又は係止解除することを特徴とする，コンピュータケーシング。
【請求項２】
前記ロック手段は，前記係止片と隣接した位置に設けられて，加圧回動により前記係止片と前記係止維持部との係止または係止解除するための解除部材をさらに含むことを特徴とする請求項１に記載のコンピュータケーシング。
【請求項３】
前記解除部材は，掛合孔が形成されることを特徴とする請求項２に記載のコンピュータケーシング。
【発明の詳細な説明】
【０００１】
【発明の属する技術分野】
本発明はコンピュータにかかり，特にケーシングを容易に組立及び分解可能なデスクトップコンピュータに関する。
【０００２】
【従来の技術】
コンピュータを活用する環境が急速に発達されて，使用者に普及することにより，コンピュータのハードウェアの持続的なアップグレード及びコンピュータ機能の多様化が行われている。
【０００３】
このような変化は，ソフトウェアだけでなく，コンピュータの機構的な構造にも要求される事項である。そのため，コンピュータの構造は，生産性及び利便性を考慮して設計される必要がある。
【０００４】
まず，図１３を参照しながら，従来におけるコンピュータのケーシング等の構造について説明する。図１３は，従来のコンピュータケーシングを示す分解斜視図である。
【０００５】
図１３に示すように，一般的に，出荷されるコンピュータのケーシング１０１は，システムに電源を印加するパワースイッチ１１６が設けられる前面カーバー１１５と，一側面に開口部１２１が形成されて，内部に多数のハードウェアを収容する本体ケーシング１２０と，本体ケーシング１２０の開口部１２１に着脱可能に結合される開口部カーバ１２６とから構成される。
【０００６】
通常，コンピュータケーシング１０１の構成を有するコンピュータは，机の上に設けられて使用されるため，机の上の空間は限定される。
【０００７】
したがって，使用者は，同じ性能のコンピュータならば，コンピュータの形状（空間）がコンパクトな（小さくまとめられた）コンピュータを選択する場合が多い。しかし，コンパクトなコンピュータを実現するためには，図１４に示したように，内部にハードウェアを積載できるように，ケーシングの構造を設計しなければならない。
【０００８】
図１４に示すように，コンピュータのケーシング１０１ａは，メインボード１１５をはじめ，多数のハードウェアが装着され，両側部にガイドレール１１７が形成された下部ケーシング１１０と，下部ケーシング１１０のガイドレール１１７と結合するガイド溝１１６を有して下部ケーシング１１０を遮閉する上部ケーシング１２０と，下部ケーシング１１０と上部ケーシング１２０との間に，ＣＤ−ＲＯＭドライブ１２２など複数のハードウェアを装着可能な板状の中間フレーム１２３とを含む。
【０００９】
以上の構成により，下部ケーシング１１０にＣＰＵ（中央演算処理装置）及びＲＡＭ（Ｒａｎｄｏｍ  Ａｃｃｅｓｓ  Ｍｅｍｏｒｙ）等が装着されたメインボード１１５を設置後，ＣＤ−ＲＯＭドライブ１２２等が装着された中間フレーム１２３を，ネジ１２５を利用して下部ケーシング１１０に固着させる。
【００１０】
次に，ガイド溝１１６が形成されており，ＣＤ−ＲＯＭドライブ１２２が挿入される貫通孔１２１が形成された上部ケーシング１２０と，下部ケーシング１１０と，を固定ネジ（図示せず）を利用して結合する。これにより，図１３に示したコンピュータケーシングよりも占有される空間が少なくて済むコンピュータケーシングを提供することが可能となる。
【００１１】
【発明が解決しようとする課題】
しかしながら，この種のコンピュータケーシングは，ハードウェアの積載のために，上部ケーシングと下部ケーシングとの間に中間フレームを設けなければならない。したがって，メインボードに設けられるＲＡＭまたは中央処理装置等のハードウェアを交替するためには，中間フレームをドライバー等により分解しなければならないので，組立及び分解が不便である。
【００１２】
本発明の目的は，ケーシングの組立及び分解が簡単に行われて，ハードウェアを容易に交替及び修理することが可能なコンピュータケーシングを提供することである。
【００１３】
【課題を解決するための手段】
上記課題を解決するため，本発明の第１の観点によれば，コンピュータにおいて，複数のハードウェアが収容され，一側に開口部を有する固定ケーシングと，開口部を少なくとも部分的に遮断し，少なくとも一つのハードウェアが装着される開閉ケーシングと，開口部の端部に隣接に設けられて，開閉ケーシングが開口部を遮断する遮断位置と開放する開放位置とに回動可能に開閉ケーシングを支持するヒンジ手段と，遮断位置で固定ケーシングに対して可能ケーシングをロッキング及びロッキング解除可能なロッキング手段とを含み，上記ロック手段は，固定ケーシング面上を所定距離移動する可動部材と，開閉ケーシングの板面に形成される係止突起部材と，固定ケーシングの前側面の板面に突出形成された複数のガイド部と，可動部材に突出形成されて係止突起部材と係止する係止部と，可動部材の移動を弾性付勢するスプリング部材と，係止突起部材と係止部との係止の状態を維持するための固定ケーシングに形成される係止維持部と，可動部材の少なくとも一側端に設けられて係止維持部と係止又は係止解除する係止片とを有し，可動部材は，当該可動部材を固定ケーシングに設置するための一または二以上のガイド孔と，当該可動部材の移動方向に対して垂直に突出された把持部をさらに含み，係止維持部又は係止片のいずれか一方は弾性部材であり，ガイド部がガイド孔に挿入されることにより可動部材の移動範囲が制限され，当該可動部材が移動することにより係止部が係止突起部材と係止又は係止解除することを特徴とするコンピュータにより達成される。
【００１４】
ここで，ロッキング手段は，固定ケーシングに設けられ，開閉ケーシングの回動平面に垂直方向にロッキング位置とロッキング解除位置との間を移動可能なラッチ部材と，開閉ケーシングに設けられてラッチ部材と解除可能に係止されて開閉ケーシングの開閉回動をロッキングする係止部とを含み，固定ケーシングから突出され，ガイド孔に挿入されて，ラッチ部材の移動を案内する少なくとも一つのガイド突起をさらに含む。
【００１５】
また，ラッチ部材は，移動方向の垂直に突出された把持部をさらに含むことにより，容易にロッキング手段を操作することができるので効果的である。
【００１６】
また，開閉ケーシングに結合されて，所定のハードウェアを受容するケージをさらに含むことにより，容易にハードウェアを交替及び修理することができるので効果的である。
【００１７】
また，ヒンジ手段は，開閉ケーシング及び固定ケーシングのいずれか一側設けられる少なくとも一つのヒンジピンと，他側に設けられてヒンジピンを回動可能に受容するヒンジ受容部とを含むことにより，容易に開閉ケーシングを固定ケーシングから組立及び分解させることができるので効果的である。
【００１８】
また，固定ケーシングに形成された係止維持部と，ラッチ部材の一側自由端部に設けられて係止維持部と相互係止及び係止解除される係止部をさらに含み，係止維持部と係止部のいずれか一つは他の一つに対して弾性的に移動可能に設けられる。
【００１９】
また，係止片と隣接した位置に設けられて，係止片が係止維持部から係止及び係止解除されるように加圧回動する解除部材をさらに含み，解除部材は，掛合孔が形成されることにより，容易にロッキング手段を操作することができるので効果的である。
【００２０】
また，固定ケーシングとラッチ部材に結合される両結合端部を有し，ラッチ部材がロッキング解除される方向に弾性付勢するスプリング部材をさらに含むことにより，容易にラッチ部材をロッキング解除方向に移動させることができるので効果的である。
【００２１】
さらに，本発明の別の観点によれば，少なくとも一または二以上のハードウェアを収容するコンピュータケーシングが提供される。このコンピュータケーシングは，少なくとも一側面に開口部を有する固定ケーシングと，ハードウェアを備えるための一または二以上のケージが設けられて，固定ケーシングの開口部を閉鎖又は開口する開閉ケーシング（開閉ケーシング）と，固定ケーシングの開口部に設けられて，開閉ケーシングが固定ケーシングと回動自在に枢着される連結手段（ヒンジ手段）と，開閉ケーシングが固定ケーシングに係止（固定）又は係止解除（固定解除）するロック手段（ロッキング手段）とを含み，上記ロック手段は，固定ケーシング面上を所定距離移動する可動部材と，開閉ケーシングの板面に形成される係止突起部材と，固定ケーシングの前側面の板面に突出形成された複数のガイド部と，可動部材に突出形成されて係止突起部材と係止する係止部と，可動部材の移動を弾性付勢するスプリング部材と，係止突起部材と係止部との係止の状態を維持するための固定ケーシングに形成される係止維持部と，可動部材の少なくとも一側端に設けられて係止維持部と係止又は係止解除する係止片とを有し，可動部材は，当該可動部材を固定ケーシングに設置するための一または二以上のガイド孔と，当該可動部材の移動方向に対して垂直に突出された把持部をさらに含み，係止維持部又は係止片のいずれか一方は弾性部材であり，ガイド部がガイド孔に挿入されることにより可動部材の移動範囲が制限され，当該可動部材が移動することにより係止部が係止突起部材と係止又は係止解除する。
【００２２】
本発明によれば，コンピュータ計算機装置として機能せしめる１または２以上から成るハードウェアは，固定ケーシングの内部または開閉ケーシングに収納される。開閉ケーシングに収納されるハードウェアは，着脱自在に設置可能なケージにより備え付けられる。コンピュータケーシングは，上記開閉ケーシングを連結手段により回動させて上記固定ケーシングに形成された開口部を開口または閉鎖して，上記開閉ケーシングと固定ケーシングとをロック手段により固定または固定解除される。かかる構成により，ロック手段の固定または固定解除により，固定ケーシングに形成された開口部の閉鎖または開口をすることが容易になり，固定ケーシングまたは開閉ケーシングに収納されたハードウェアの取出または交換などが迅速的にすることが可能となる。なお，連結手段は，ヒンジピンおよびヒンジピン受容部とから構成されるヒンジ手段などの枢着することにより回動自在となる連結部材である。
【００２３】
ロック手段は，固定ケーシング又は開閉ケーシングのいずれかの面上を所定距離移動可能な係止又は係止解除するための可動部材（ラッチ部材）と，固定ケーシング又は開閉ケーシングのいずれか一方面に形成される係止突起部材と，可動部材に突出形成されて係止突起部材と係止又は係止解除する係止部とを有する。かかる構成によれば，可動部材の移動により係止または係止解除されることにより，固定ケーシングに形成された開口部の開閉が行われて，固定ケーシングに形成された開口部の開口または閉鎖の管理が容易となる。なお，可動部材の係止部と係止する係止突起部材は，固定ケーシング又は開閉ケーシングの少なくともいずれか一方に形成される。
【００２４】
可動部材は，固定ケーシング又は開閉ケーシングのいずれか一方に設置するための一または二以上のガイド孔を有し，固定ケーシング又は開閉ケーシングのいずれか一方に突出形成されたガイド部がガイド孔に挿入されることにより，可動部材の移動範囲が制限される。かかる構成によれば，常に固定ケーシングまたは開閉ケーシングのいずれか一方に備え付けられて，固定ケーシングと開閉ケーシングとを係止または係止解除するための可動部材が意図しない範囲への移動を防止する。
【００２５】
可動部材は，移動方向に対して垂直に突出された把持部をさらに含む。かかる構成により，把持部が把持されることにより，可動部材の移動が容易に実行されて，固定ケーシングと開閉ケーシングとの係止又は係止解除が迅速に処理できる。
【００２６】
ロック手段は，係止突起部材と係止部との係止の状態を維持するための固定ケーシング又は開閉ケーシングのいずれか一方に形成される係止維持部と，可動部材の少なくとも一側端に設けられて係止維持部と係止又は係止解除する係止片を含み，さらに係止維持部又は前記係止片のいずれか一方は弾性部材である。かかる構成により，可動部材に形成された係止部と係止突起部材との係止が，係止維持部と係止片との係止により，可動部材の意図しない移動により係止解除されることを防ぐことが可能となり，さらに上記係止維持部と係止片との係止又は係止状態を解除する場合，係止維持部又は係止片のいずれか一方が弾性部材であることから，係止維持部または係止片を容易に変形させて係止又は係止解除することが可能となる。なお，変形させて係止解除した係止維持部又は係止片は，弾性部材により，変形前の元の形になる。
【００２７】
ロック手段は，係止片と隣接した位置に設けられて，加圧回動により係止片と係止維持部との係止又は係止解除するための解除部材をさらに含む。かかる構成により，解除部材の加圧回動により，係止片を変形させることが容易となり，したがって可動部材に形成された係止片と係止維持部との係止又は係止解除することが可能となる。
【００２８】
解除部材は，掛合孔が形成される。かかる構成により，解除部材に形成された掛合孔にユーザの指またはＬ字状の軸部などの掛合部材を挿入して，引掛け合わせて加圧しながら回動させることにより，解除部材の加圧回動の際，脱着せず確実に回動させることが可能となる。
【００２９】
ロック手段は，可動部材を弾性付勢させて移動させるスプリング部材をさらに有する。かかる構成により，可動部材に形成された係止片と係止維持部との係止解除をすることにより，スプリング部材の弾性付勢を利用して，可動部材の係止部と係止突起部材との係止状態を解除する位置（係止解除位置またはロッキング解除位置）まで，可動部材を移動することが可能となり，固定ケーシングおよび開閉ケーシングとの係止解除を容易に行える。なお，スプリング部材は，弾性付勢することが可能である弾性部材であり，弾性部材であれば，かかるスプリング部材に限定されない。例えば，ゴム部材などがあげられる。
【００３０】
【発明の実施の形態】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００３１】
なお，図１において，ラッチ部材４０が本発明の可動部材に対応し，ガイド突起１７が本発明のガイド部に対応し，ヒンジ部３０が本発明の連結手段に対応し，係止突起２１が本発明の係止突起部材に対応し，コイルスプリング４７が本発明のスプリング部材に対応している。
【００３２】
まず，図１を参照しながら，本実施の形態にかかるコンピュータケーシングについて説明する。図１は，本実施の形態にかかるコンピュータの分解斜視図である。
【００３３】
図１に示すように，本実施の形態にかかるコンピュータのケーシング１は，複数のハードウェアが収容されて，上部に開口部１１が形成された固定ケーシング１０と，開口部１１を塞いで，内壁面にハードウェアが装着される開閉ケーシング２０と，開口部１１の後方に設けられ，開閉ケーシング２０を固定ケーシング１０に対して回動可能に支持するヒンジ部３０と，開口部１１を塞いだ状態で開閉ケーシング２０を固定ケーシング１０に対して，固定（ロッキング）または固定解除（ロッキング解除）することができる係止部４１を有するラッチ部材４０とが含まれる。
【００３４】
固定ケーシング１０には，上部に形成された開口部１１を通じて，中央演算処理装置１３及びＲＡＭ等の装着されるメインボード１５が固定結合される。また，固定ケーシング１０の前側面部には，ラッチ部材４０を結合するための，板面から突出形成された複数のガイド突起１７が設けられている。
【００３５】
また，固定ケーシング１０と後述する開閉ケーシング２０とが接合する後方部の両側壁に，板面を貫通して形成される一対のヒンジピン受容部３１が形成されている。上記ヒンジピン受容部３１は，開閉ケーシング２０のヒンジピン３３と結合される。
【００３６】
開閉ケーシング２０は，開閉ケーシング２０の前側面上に，開閉ケーシング２０の板面から突出されて前方に向かってＬ字状に折曲された１または２以上の係止突起２１と，開閉ケーシング２０の両側壁の後方部に，板面から突出形成されるヒンジピン３３と，少なくとも一つのハードウェアを収容するケージ５０を開閉ケーシング２０に固定するために設けられる締結部２５とが含まれる。
【００３７】
上記１または２以上の係止突起２１は，ラッチ部材４０の係止部４１と係止または係止解除することにより，開閉ケーシング２０と固定ケーシング１０とをロッキングまたはロッキング解除させる。
【００３８】
締結部２５には，開閉ケーシング２０の内壁面にケージ５０を固定結合させることができるように突出形成されたネジ孔が設けられる。図１に示すように，開閉ケーシング２０の内壁面に後述するケージ５０を設置させた後，締結部２５に固定ネジ５５を螺着させることにより，ケージ５０を開閉ケーシング２０に固定結合させる。
【００３９】
ケージ５０は，図１及び図４に示すように，ＣＤ−ＲＯＭドライブ６０を収容する収容部が設けられる。ケージ５０の両側壁の端部は外側方向Ｌ字状に折曲されて，折曲された板面５４には，固定ネジ５５によりケージ５０を開閉ケーシング２０に螺合するための締結孔５３が形成される。また，ケージ５０の前側面の下端部には，前方に向かってＬ字状に折曲された１または２以上の係止突起２１が設けられる。
【００４０】
次に，図２を参照しながら，本実施の形態にかかる第１のラッチ部材４０について説明する。図２は，本実施の形態にかかる第１のラッチ部材４０を示す斜視図である。
【００４１】
図２に示すように，ラッチ部材４０は，開閉ケーシング２０に形成された係止突起２１と係止するように設けられた係止部４１と，固定ケーシング１０のガイド突起１７とラッチ部材４０を固着するためのガイド孔４３と，ラッチ部材４０の一側端部に設けられる把持部４５とが含まれる。
【００４２】
係止部４１は，図２に示すように，ラッチ部材４０に突出形成されて開閉ケーシング２０に設けられた係止突起２１と係止又は係止解除することにより，開閉ケーシング２０を固定ケーシングに対してロッキングまたはロッキング解除させることが可能となる。
【００４３】
ガイド孔４３は，ラッチ部材４０の水平方向の移動に沿うように，固定ケーシング１０のガイド突起１７と対応する一領域にラッチ部材４０の板面に貫通して形成される。
【００４４】
ラッチ部材４０は，ガイド孔４３を通じて固定ケーシング１０のガイド突起１７に挿入され，ガイド突起１７と締結されるラッチ部材４０の固定ネジ１９によりガイド突起１７に固定される。
【００４５】
ガイド突起１７に固定されることにより，図３に示すように，ラッチ部材４０の移動方向はガイド突起１７により制約されて，ガイド突起１７が固定された範囲内（ガイド孔４３の範囲内）に従って移動することにより，係止部４１と係止突起２１とを係止維持または係止解除させる。
【００４６】
図２及び図３に示すように，把持部４５は，ラッチ部材４０の一側端部に移動方向に沿ってＬ字状に折曲されて形成される。これにより，把持部４５が保持されて係止部４１と係止突起２１との係止状態から係止解除方向にラッチ部材４０を移動させることにより，係止部４１が係止突起２１から離脱されて係止解除される。
【００４７】
次に，上記説明の通り構成された，本実施の形態にかかるコンピュータに配置されたハードウェアを交換または修理するため，コンピュータケーシングを分解する工程について説明する。
【００４８】
まず，図１及び図３に示すように，ラッチ部材４０は，固定ケーシング１０に結合されたラッチ部材４０の把持部４５が保持されて，係止状態の位置から係止解除方向に移動される（矢印方向）。これにより，ラッチ部材４０の係止部４１は開閉ケーシング２０の係止突起２１とケージ５０の係止突起２１から離脱されて係止解除される。
【００４９】
次に，図４に示すように，開閉ケーシング２０は，固定ケーシング１０からヒンジ部３０に沿って閉鎖された位置から開口部１１が開口される位置まで回動される。これにより，中間フレームを分解せずに，またドライバー等の分解工具を必要とせず，ＣＤ−ＲＯＭドライブ６０などのハードウェアに対して直接取出す（取付ける）ことが可能となり，ハードウェアを容易に交換または修理することができる。
【００５０】
次に，開閉ケーシング２０を固定ケーシング１０から着脱する場合は，開閉ケーシング２０の後方領域に設けられたヒンジピン３３が，固定ケーシング１０に備わるヒンジピン受容部３１から離脱方向に移動されると，開閉ケーシング２０は，簡単に着脱できる。
【００５１】
また，開閉ケーシング２０を固定ケーシング１０に結合（装着）工程及びロッキング（固定）する工程は，上記説明の通り，ロッキング解除工程の逆の工程順序である。
【００５２】
まず装着工程は，開閉ケーシング２０のヒンジピン３３がヒンジピン受容部３１に装着される。次にロッキング工程は，まずラッチ部材４０が係止解除方向に移動後，開閉ケーシング２０が，開口部１１を閉鎖する位置まで（固定ケーシング１０の上部まで。）回動される。開閉ケーシング２０の回動により，ラッチ部材４０の係止部４１の前方に開閉ケーシング２０の係止突起２１が位置する。
【００５３】
従って，ラッチ部材４０の把持部４５が保持されて，係止するために，ラッチ部材４０が，係止方向に移動されると，ラッチ部材４０の係止部４１が係止突起２１と係止することにより，開閉ケーシング２０と固定ケーシング１０とがロッキング（固定）される。
【００５４】
次に，図５を参照しながら，本実施の形態にかかる第２のコンピュータケーシングについて説明する。図５は，本実施の形態にかかる第２のコンピュータケーシングの部分拡大斜視図である。
【００５５】
図５に示すように，上記説明の図３に示したコンピュータケーシングと，ほぼ同一の構成要素を有するが，ロック手段であるラッチ部材４０の移動を制限するために，固定ケーシング１０に形成された係止維持部１８と，係止維持部１８と係止または係止解除される係止片４４がさらに含まれる。
【００５６】
係止維持部１８は，図５に示すように，ラッチ部材４０の係止片４４と係止する逆Ｌ字状なる固定ケーシング１０の板面に突出形成されて，後述する係止片４４と相互係止及び係止解除されてラッチ部材４０の自由移動を制限する。
【００５７】
係止片４４は，図５に示すように，ラッチ部材４０の把持部４５個所の一端が係止される。上記係止片４４は，ラッチ部材４０と一体的に結合され弾性を有するプラスチック材質等で設けられる。これにより，係止片４４の折曲された自由端部が図５に示すように係止維持部１８に係止されることにより，ラッチ部材４０が，係止された位置から係止解除する方向に移動することを制限する。
【００５８】
図５に示すように，ラッチ部材４０が係止された位置である場合，係止片４４が上部方向（垂直上方向）に移動されると，図６に示すように，弾性を有する係止片４４の折曲された自由端部が係止維持部１８から離脱される。これにより，ラッチ部材４０は，係止片４４と結合された把持部４５が保持されて，係止位置から係止解除する方向に移動されて，ラッチ部材４０の係止部４１が係止突起２１から係止解除される。したがって，開閉ケーシング２０と固定ケーシング１０は，ロッキング解除される。
【００５９】
ロッキング解除されることにより，開閉ケーシング２０は，固定ケーシング１０からヒンジ部３０を回転中心軸として，開口部１１が開放される開放位置まで回動される。さらに，回動されたケージ５０に備わるハードウェアを容易に交換または修理することができる。なお，ロッキング工程はロッキング解除工程の逆の順序により実施可能である。
【００６０】
次に，図７を参照しながら，本実施の形態にかかる第３のコンピュータケーシングについて説明する。図７は，本実施の形態にかかる第３のコンピュータケーシングの部分拡大斜視図である。
【００６１】
図７に示すように，第３のコンピュータケーシングは，図５に示した第２のコンピュータケーシングと，ほぼ同一の構成を有するが，ロッキング手段であるラッチ部材４０を容易に係止解除する方向に移動させるための解除部材４８がさらに含まれる。
【００６２】
解除部材４８は，図７に示すように，逆Ｌ字状に折曲されて内部に指を掛けられる掛合孔４９が形成されている。また，解除部材４８は，解除部材４８と把持部４５との間に係止片４４が形成される位置に，把持部４５と結合される。
【００６３】
これにより，図７に示すラッチ部材４０は，開閉ケーシング２０と固定ケーシング１０がロッキングされた状態から，解除部材４８の掛合孔４９と，指などの掛合部材（図示せず）とが掛合されて（引き掛けられて），解除部材４８が加圧回動されると，解除部材４８の折曲された上部が係止片４４の突出された部分を上部方向に移動させる。
【００６４】
これにより，図８に示すように，解除部材４８の回動に伴い，係止片４４が上部方向に移動されて，係止片４４が係止維持部１８と係止解除される。従って，ラッチ部材４０は，解除部材４８の上部方向に移動された状態が保持されて，係止された位置から，係止解除方向（矢印方向）に移動されることにより，容易に係止解除させることができる。このように，掛合孔４９の形成された解除部材４８を設けることにより，さらに容易にラッチ部材４０を，係止解除する方向に移動させることが可能となる。
【００６５】
次に，図９を参照しながら，本実施の形態にかかる第４のコンピュータケーシングについて説明する。図９は，本実施の形態にかかる第４のコンピュータケーシング部分拡大斜視図である。
【００６６】
図９に示す第４のコンピュータケーシングは，図７に示した第３のコンピュータケーシングとほぼ同一の構成要素を有するが，第４のコンピュータケーシングは，ロック手段であるラッチ部材４０が係止解除する方向に移動させるためのコイルスプリング４７がさらに含まれる。
【００６７】
コイルスプリング４７は，図９に示すように，ラッチ部材４０の下端位置に設けられ，コイルスプリング４７の両端には，固定ケーシング１０とラッチ部材４０とが結合される。
【００６８】
一端が固定ケーシング１０に固定されたコイルスプリング４７は，ラッチ部材４０が係止される位置まで引出されて移動することにより弾性的に膨脹される。
【００６９】
また図１０に示すように，開閉ケーシング２０と固定ケーシング１０とのロッキング後に，コイルスプリング４７は，係止片４４が係止維持部１８から離脱された場合（係止解除された場合。），コイルスプリング４７の復元力により弾性収縮してラッチ部材４０は，係止位置から係止解除する方向に移動される。
【００７０】
本実施の形態にかかる第４のコンピュータケーシングでは，解除部材４８の掛合孔４９および指などの掛合部材（図示せず。）とが掛合されて，解除部材４８が上部方向に加圧回動されることにより，解除部材４８の折曲された部分が係止片４４の突出された部分を上部方向に移動させる。係止片４４が上部方向に移動されることにより，係止片４４は，係止維持部１８から係止解除される。
【００７１】
係止片４４が係止維持部１８から係止解除されることにより，図１０に示すように，ラッチ部材４０の係止状態の位置では弾性膨張されたコイルスプリング４７が弾性的に収縮して，ラッチ部材４０は，係止状態の位置から係止解除方向に容易に移動する。
【００７２】
ラッチ部材４０の係止された位置から係止解除方向への移動により，係止部４１は係止突起２１から離脱されて，開閉ケーシング２０と固定ケーシング１０とがロッキング解除（固定解除）される。このように，本実施の形態にかかる第４のコンピュータケーシングでは係止位置で弾性膨張するコイルスプリング４７が設けられることにより，さらに容易にラッチ部材４０を係止解除方向に移動させることが可能となる。
【００７３】
次に，図１１を参照しながら，本実施の形態にかかる第５のコンピュータケーシングについて説明する。図１１は，本実施の形態にかかる第５のコンピュータケーシング部分拡大斜視図である。
【００７４】
図１１に示す第５のコンピュータケーシングは，前述した本実施の形態にかかる第２のコンピュータケーシングとほぼ同一の構成要素を有するが，ロッキング手段であるラッチ部材４０をさらに容易にロッキング解除位置に移動させるためのコイルスプリング４７ａをさらに含む。
【００７５】
コイルスプリング４７ａは，図１１に示すように，ラッチ部材４０の下端領域に設けられ，コイルスプリング４７ａの両端は，固定ケーシング１０とラッチ部材４０とが結合されている。
【００７６】
一端が固定ケーシング１０に固定されたコイルスプリング４７ａは，ラッチ部材４０が係止される位置まで引出されて移動することにより弾性的に膨脹する。
【００７７】
また図１２に示すように，開閉ケーシング２０と固定ケーシング１０とのロッキング後に，係止片４４が係止維持部１８から離脱された場合（係止解除），コイルスプリング４７ａは，コイルスプリング４７ａの復元力である弾性収縮により，ラッチ部材４０を係止位置から係止解除方向に移動させる。
【００７８】
本実施の形態にかかる第５のコンピュータケーシングでは，ラッチ部材４０の係止位置において，プラスチック材質等の係止片４４を上部方向に加圧して，移動させると，係止維持部１８および係止片４４が係止解除される。
【００７９】
図１２に示すように，係止解除されると，ラッチ部材４０は，係止された位置から弾性的に膨脹されたコイルスプリング４７ａの復元力により弾性収縮して，ラッチ部材４０は，係止位置から係止解除方向に容易に移動される。
【００８０】
ラッチ部材４０の係止位置から係止解除方向への移動により，係止部４１が係止突起２１から離脱されて，開閉ケーシング２０と固定ケーシング１０との固定が解除される。従って，使用者であるユーザは，ケージ５０に設置されたＣＤ−ＲＯＭドライブ６０の取り外して交換または固定ケーシング１０に設置されたメインボード１５の交換など，容易にハードウェアの交換または修理などすることが可能となる。
【００８１】
したがって，ハードウェアの装着される開閉ケーシングと，開閉ケーシングと固定される固定ケーシングと，固定ケーシング及び開閉ケーシングのロッキング手段とを設けることにより，コンピュータケーシングの組立及び分解が簡単に行われて，ハードウェアの交換及び修理が容易に実施可能なコンピュータケーシングを提供することができる。
【００８２】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【００８３】
上記実施形態においては，固定ケーシング１０にラッチ部材４０が結合される場合を例にあげて説明したが，本発明はかかる例に限定されず，例えば，ラッチ部材４０を開閉ケーシング２０に結合して実施することも可能である。この場合には，ラッチ部材４０の係止部４１または係止するための係止突起２１のうちいずれか一方を固定ケーシング１０に設けることにより実施可能となる。
【００８４】
また上記実施形態においては，ケージ５０を利用してＣＤ−ＲＯＭドライブ６０を開閉ケーシング２０に固定する場合を例にあげて説明したが，本発明はかかる例に限定されず，フロッピーディスク（登録商標，図示せず）又はハードディスクドライブ（図示せず）等の多様なハードウェアをケージ５０に収容して開閉ケーシング２０に固定することも実施可能である。
【００８５】
また上記実施形態においては，係止維持部１８と係止片４４との係止又は係止解除において，係止片４４が弾性的に変形することにより，係止片４４と係止維持部１８との係止又は係止解除される場合を例にあげて説明したが，本発明はかかる例に限定されず，係止維持部１８を弾性的に変形させて係止片４４と係止維持部１８との係止又は係止解除させることも実施可能である。
【００８６】
【発明の効果】
以上説明したように，本発明によれば，ケーシングの組立及び分解が簡単に行われて，ハードウェアを容易に交替したり修理したりすることができるコンピュータが提供される。
【図面の簡単な説明】
【図１】本実施の形態にかかるコンピュータケーシングを示す分解斜視図である。
【図２】本実施の形態にかかるラッチ部材を示す斜視図である。
【図３】本実施の形態にかかる第１のコンピュータケーシングを示す部分斜視図である。
【図４】本実施の形態にかかるコンピュータケーシングの開閉ケーシングが開放された状態を示す斜視図である。
【図５】本実施の形態にかかる第２のコンピュータケーシングを示す部分斜視図である。
【図６】本実施の形態にかかる第２のコンピュータケーシングのラッチ部材の係止解除を説明するための部分斜視図である。
【図７】本実施の形態にかかる第３のコンピュータケーシングを示す部分斜視図である。
【図８】本実施の形態にかかる第３のコンピュータケーシングのラッチ部材の係止解除を説明するための部分斜視図である。
【図９】本実施の形態にかかる第４のコンピュータケーシングを示す部分斜視図である。
【図１０】本実施の形態にかかる第４のコンピュータケーシングのラッチ部材の係止解除を説明するための部分斜視図である。
【図１１】本実施の形態にかかる第５のコンピュータケーシングを示す部分斜視図である。
【図１２】本実施の形態にかかる第５のコンピュータケーシングのラッチ部材の係止解除を説明するための部分斜視図である。
【図１３】従来におけるコンピュータケーシングを示す分解斜視図である。
【図１４】従来におけるの他のコンピュータケーシングを示す分解斜視図である。
【符号の説明】
１    ：ケーシング
１０  ：固定ケーシング
１１  ：開口部
１３  ：中央処理装置
１５  ：メインボード
１７  ：ガイド突起
１８  ：係止維持部
１９  ：ラッチ部材固定ネジ
２０  ：開閉ケーシング
２１  ：係止突起
２５  ：締結部
３０  ：ヒンジ部
３１  ：ヒンジピン受容部
３３  ：ヒンジピン
４０  ：ラッチ部材
４１  ：係止部
４３  ：ガイド孔
４４  ：係止片
４５  ：把持部
４７  ：コイルスプリング
４８  ：解除部材
４９  ：掛合孔
５０  ：ケージ
５３  ：締結孔
５５  ：固定ネジ
６０  ：ＣＤ−ＲＯＭドライブ
【図１】
0003749503.tif 000002
【図２】
0003749503.tif 000003
【図３】
0003749503.tif 000004
【図４】
0003749503.tif 000005
【図５】
0003749503.tif 000006
【図６】
0003749503.tif 000007
【図７】
0003749503.tif 000008
【図８】
0003749503.tif 000009
【図９】
0003749503.tif 000010
【図１０】
0003749503.tif 000011
【図１１】
0003749503.tif 000012
【図１２】
0003749503.tif 000013
【図１３】
0003749503.tif 000014
【図１４】
0003749503.tif 000015